【事件の表示】
　平成　３年特許願第２６７３５２号「プロセス表示装置」拒絶査定に対する審判事件［平成　５年　４月２７日出願公開、特開平　５−１０７０８６］について、次のとおり審決する。
【結　論】
　本件審判の請求は、成り立たない。
【理　由】
１．手続の経緯・本願発明
　本願は、平成　３年１０月１６日の出願であって、その請求項１ないし４に係る発明中、請求項１に係る発明は、平成　４年　１月３１日付手続補正書，平成１２年　９月１８日付手続補正書及び平成１３年　１月１２日付手続補正書によって補正された明細書における特許請求の範囲の請求項１に記載された次のとおりのものと認める。(以下、「本願発明１」という。)
　　　　　　　　　　　　　　　　　　　　　　　　　　　　　　　　　
「　【請求項１】
　監視対象となるプラント系統図を表示すると共に該プラント系統図内のプラント機器に関連するウインドウ情報を該プラント系統図と同一画面上に表示して前記プラントを監視するプロセス表示装置において、前記画面上に表示されているウインドウ情報のうち移動すべきウインドウ情報を指定すると共に該指定されたウインドウ情報を前記画面上での移動先を指定する入力手段と、前記入力手段で指定されたウインドウ情報を前記入力手段で指定された移動先に移動して前記画面上に表示する表示処理手段を有することを特徴とするプロセス表示装置。」
　　　　　　　　　　　　　　　　　　　　　　　　　　　　　　　　　
２．引用例に記載された発明
(１)これに対して、原査定の拒絶の理由に引用された、本願の出願の日前である平成　２年　５月　８日に頒布された「特開平２−１２０９０５号公報」(以下、「刊行物１」という。)には、
(ａ)「（１）プラントデータベースに収容されたプラントデータと、表示情報データテーブルに収容された表示情報とに基づいて、表示装置にプラントの運転状態に関する情報を表示するプラント運転監視装置において、
  前記表示装置の表示画面内の座標を入力するための座標入力装置と、この座標入力装置からの座標信号を入力して前記表示装置に表示されたプラント機器の中から選択された選定機器を判断し機器選定信号を出力する特定機器判断部と、前記機器選定信号を入力し機器情報データテーブルから前記選定機器についての情報を読み込み、その情報に従って前記プラントデータベースから必要なデータを読み込んで前記表示装置に選定機器に関連するパラメータおよび選定機器を操作するための操作用表示が入ったウィンドゥを表示する機器情報表示部と、前記座標入力装置によって特定された前記操作用表示内の座標に従って機器操作要求信号を出力する機器操作判断部と、前記機器操作要求信号を入力してプラント機器に対して操作信号を出力する操作機器出力部とを備えたことを特徴とするプラント運転監視装置。」(特許請求の範囲)
(ｂ)「（産業上の利用分野）
　本発明は、たとえば原子力発電プラント、火力発電プラント，化学プラント等のプラントの運転状態の監視に利用されるプラント運転監視装置に関する。」(公報第１頁右下欄９〜１３行)
(ｃ)「本発明は、かかる従来の事情に対処してなされたもので、機器操作時の画面選択を不要とし、従来に較べて運転員の負担を軽減することにより、誤操作の発生可能性を低減し、プラントの安全性の向上を図ることのできるプラント運転監視装置を提供しようとするものである。」(公報第２頁右下欄１〜６行)
(ｄ)「また、上記機器情報表示部２２には、各プラント機器毎の表示すべき情報として、これらのプラント機器を操作するために必要となる表示（操作用表示）についての情報および操作時の監視に必要なパラメータの情報を収容する機器情報データテーブル２３が接続されている。そして、機器情報表示部２２は、機器選定信号２１に従って、機器情報データテーブル２３から上述した選定機器についてのデータを読み込み、例えば第２図に示すように、操作器ウィンドゥ２４としてマルチウィンドゥ機能を有する画面表示装置１３Ａの選定機器（プラント機器１５）の近傍に重ねて表示するように画面表示信号１２Ａを発する。なお、操作器ウィンドウ２４は、プラント機器を操作するための摸作用表示２４ａと操作時に監視が必要となるパラメーター表示２４ｂとから構成されている。
  そして、上記操作器ウインドゥ２４において運転員ａが座標入力装置１９を用いて所望の操作に対応する操作用表示２４ａの部位を選定すると、機器操作座標信号２６が機器操作判断部２７に入力され、機器情報データテープル２３と照合して機器の起動や停止等のどのような操作が行われたかを判断し、機器操作要求信号２８を操作信号出力部２９に送り、操作信号出力部２９は機器操作要求信号２８に従って操作信号１７Ａをプラント機器１５に送るよう構成されている。」(公報第３頁左下欄４行〜右下欄１０行)
(ｅ)「［発明の効果］
　以上説明したように．本発明のプラント運転監視装置によれば．従来必要とされていた機器操作時の画面選択を不要とすることができるので、従来に較べて運転員の負担を大幅に軽減することができ、誤操作の発生可能性を低減することができる。したがって、従来に較べてプラントの安全性の向上を図ることができる。」(公報第４頁右下欄６〜１３行)
との記載がある。
　以上のことから、刊行物１には、
「プラントの運転状態に関する情報を表示すると共に該プラント機器の中から選択された選定機器１５に関連するウインドゥ２４情報を該プラントの運転状態に関する情報と同一画面上に表示して前記プラントを監視するプロセス表示装置。」
が記載されていると認められる。
　　　　　　　　　　　　　　　　　　　　　　　　　　　　　　　　　
(２)同じく、本願の出願の日前である平成　２年　４月　４日に頒布された「特開平２−９３５８９号公報」(以下、「刊行物２」という。)には、
(ａ)「２．特許請求の範囲
　表示画面に表示されたウィンドウを移動するタッチパネルを持ったＣＲＴディスプレイ装置において、
　前記表示画面のタッチパネル入力領域上に表示された前記ウィンドウの移動タイトルエリアをタッチしたときに発生するタッチ信号を受けてウィンドウ移動要求と判断し、前記ウィンドウを表示した状態で前記表示画面全体にタッチ入力可能領域パターンを出力すると共にこのタッチ入力可能領域パターン上のあるウィンドウ移動位置が指定されたとき前記ウィンドウを消去してその指定位置に前記ウィンドウを再表示し、前記ウィンドウ移動要求後所定時間の間ウィンドウの移動位置が指定されない場合には前記ウィンドウ移動要求を解除することを特徴とするウィンドウ移動方式。」(特許請求の範囲)
(ｂ)「（産業上の利用分野）
　本発明は、制御システム等のマンマシン・インタフェイスであるタッチパネルを持ったＣＲＴディスプレイ装置等に利用するウィンドウ移動方式に係わり、特に表示中のウィンドウを瞬時に移動可能としたウィンドウ移動方式に関する。」(公報第１頁右下欄３〜８行)
(ｃ)「（発明が解決しようとする課題）
　従って、以上のようなウィンドヴ移動方式は、一度必要な情報と共にウィンドウを消去した後ウィンドウの移動指定があったときウィンドウをその位置に移動する方式であるので、ウィンドウを迅速に移動させることが難しく、しかもウィンドウの移動が遅れればそれだけウィンドウの下に隠されているぺースとなる情報を直ちに見ることができない問題があった。
　本発明は以上のような問題を除去するためになされたもので、表示中のウィンドウを所望とする位置に瞬時に移動可能であり、よって操作上必要な情報を迅速に知ることができ、制御システムに適用して危険を未然に回遊しうるウィンドウ移動方式を提供することを目的とする。」(公報第２頁左上欄７行〜右上欄１行)
(ｄ)「次に、本発明方式の動作について第３図を参照して説明する。先ず、ウィンドウ表示手段１０において表示画面１１上にウィンドウ１３が表示されるが、このときデータ処理部ではウィンドウ１３が表示されているか否かを判断し（ステップＳ１）、ウィンドウ１３が表示されていると判断したときにはウィンドウ移動要求判断手段１６にてウィンドウ１３の移動要求が有るか否かを判断する（ステップＳ２）。タイトルエリア１４のうち移動（ＭＯＶＥ）のタイトルをタッチしたとき、ウィンドウ移動要求が有ったと判断し、タッチエリアを反転表示またはプリンタ表示などによって移動要求中であることを判らせるようにすると共に時間Ｔを零にセットする（ステップＳ３）。
　しかる後、タッチ人力可能領域出力手段１７にて第２図（ｂ）に示す如く表示画面全体に区画リスト２を選択して網目状のタッチ入力可能領域１８を出力する（ステップＳ４）。次に、移動位置判断手段２０では、前記タッチ入力可能領域１８のある位置、つまりウィンドウ１３の移動指定位置をタッチすると、そのタッチ信号を受けて移動位置の指定があったと判断し（ステップＳ５）、第２図（ｂ）に示すウィンドウ１３を消去した後、第２図（ｃ）示すように前記移動指定位置にタッチパネル入力領域１２と共にウィンドウ１３を再表示する（ステップＳ６）。こうして、ウィンドウがあたかも指定された位置に瞬時に移動したかのように表示する（第２図（ｃ）参照）。」(公報第３頁左上欄２行〜右上欄９行)
(ｅ)「［発明の効果］
　以上詳記したように本発明によれば，表示中のウィンドウを所望とする位置に瞬時に移動でき、よって操作上必要な情報を迅速に知ることができ、制御システムに適用して危険を未然に回避しうるウィンドウ移動方式を提供できる。」(公報第３頁左下欄１５〜２０行)
との記載がある。　　　　　　　　　　　　　　　　　　　　　　　　　
　　　　　　　　　　　　　　　　　　　　　　　　　　　　　　　　　
４．本願発明と引用発明との対比
(１)本願発明１と刊行物１に記載された発明(以下「引用発明」という。)とを対比すると、後者の「プラントの運転状態に関する情報」，「プラント機器の中から選択された選定機器１５」，「ウインドウ２４」，「表示装置１３Ａ」は、それぞれ、前者の「監視対象となるプラント系統図」，「プラント系統図内のプラント機器」，「ウインドウ情報」，「プロセス表示装置」に相当する。
　したがって、両者は、「監視対象となるプラント系統図を表示すると共に該プラント系統図内のプラント機器に関連するウインドウ情報を該プラント系統図と同一画面上に表示して前記プラントを監視するプロセス表示装置。」である点で一致し、本願発明においては、「画面上に表示されているウインドウ情報のうち移動すべきウインドウ情報を指定すると共に該指定されたウインドウ情報を前記画面上での移動先を指定する入力手段と、前記入力手段で指定されたウインドウ情報を前記入力手段で指定された移動先に移動して前記画面上に表示する表示処理手段を有する」のに対して、引用発明においては、かかる構成を有していない点で相違する。
　　　　　　　　　　　　　　　　　　　　　　　　　　　　　　　　　
５．判　断
　上記相違点について検討するに、上記刊行物２には、「表示画面に表示されたウィンドウを移動するタッチパネルを持ったＣＲＴディスプレイ装置において、前記表示画面のタッチパネル入力領域上に表示された前記ウィンドウの移動タイトルエリアをタッチしたときに発生するタッチ信号を受けてウィンドウ移動要求と判断し、前記ウィンドウを表示した状態で前記表示画面全体にタッチ入力可能領域パターンを出力すると共にこのタッチ入力可能領域パターン上のあるウィンドウ移動位置が指定されたとき前記ウィンドウを消去してその指定位置に前記ウィンドウを再表示」(「特許請求の範囲」参照)する構成が記されている。しかも、上記刊行物２に記載された発明は、「本発明は、制御システム等のマンマシン・インタフェイスであるタッチパネルを持ったＣＲＴディスプレイ装置等に利用するウインドウ移動方式に係わり、特に表示中のウインドウを瞬時に移動可能としたウインドウ移動方式に関する。」(「産業上の利用分野」参照)とあるように、引用発明とは産業上の利用分野を共通とするものであり、かつ、「ウインドウの移動が遅れればそれだけウインドウの下に隠されているベースとなる情報を直ちに見ることができない問題があった。」(「発明が解決しようとする課題」参照)とあるように、その課題は本願発明が課題とする事項そのものである。
　そうである以上、刊行物２に記載の発明を刊行物１に記載の発明に適用するに際して、何らこれを阻害する事由は無いというべきであって、引用発明において、刊行物２に記載された前記構成を適用することにより、上記相違点に係る構成とすることは、当業者が容易に想到し得たことである。
　　　　　　　　　　　　　　　　　　　　　　　　　　　　　　　　　
６．むすび
　以上のとおり、本願発明は、刊行物１，２に記載された各発明に基づいて当業者が容易に発明をすることができたものであるので、特許法第２９条第２項の規定により特許を受けることができない。
  よって、結論のとおり審決する。